(57)【要約】      （修正有）【課題】２種類の替刃に個々に対応する２つの替刃保持構造を有する医療用ナイフであって、いずれの替刃を取り付けたときでも、替刃を指先の一部のような感覚で切断作業をすることができる医療用ナイフを提供する。【解決手段】替刃ホルダー１は、２種類の替刃１９に個々に対応する２つの替刃保持構造を有し、それぞれの替刃保持構造に保持される替刃１９は、替刃ホルダー１の周囲上の離れた異なる位置から突出するものであり、一方の替刃保持構造に保持される替刃１９の突出する方向と、他方の替刃保持構造に保持される替刃の突出する方向とが異なっている。【選択図】図１
2015078939.tif 000002
【特許請求の範囲】
【請求項１】
替刃ホルダーと、それに着脱可能な替刃とを含み、替刃ホルダーは互いに結合可能な一対のホルダーパーツから成り、各ホルダーパーツに設けられた替刃保持構造が協働して替刃の一端部を保持し、替刃の他端部が替刃ホルダーから突出する医療用ナイフであって、替刃ホルダーは、サイズ及び又は形状の異なる２種類の替刃に対応できるように、それら２種類の替刃に個々に対応する２つの替刃保持構造を有し、それぞれの替刃保持構造に保持される替刃は、替刃ホルダーの周囲上の離れた異なる位置から突出するものであり、且つ一方の替刃保持構造に保持される替刃の突出する方向と、他方の替刃保持構造に保持される替刃の突出する方向とが異なっていることを特徴とする医療用ナイフ。
【請求項２】
両ホルダーパーツの替刃保持構造間に替刃は保持され、且つ、ホルダーパーツの内面に垂直な回転軸線を中心にホルダーパーツを相対的に回転させることにより、替刃を着脱可能とすることができる請求項１記載の医療用ナイフ。
【請求項３】
各ホルダーパーツはほぼ同じ外形をなしている請求項１又は請求項２記載の医療用ナイフ。
【請求項４】
一方の替刃保持構造に保持される替刃の突出方向と、他方の替刃保持構造に保持される替刃の突出方向は、反対方向を向いている請求項１乃至請求項３のいずれか一項記載の医療用ナイフ。
【請求項５】
各ホルダーパーツはほぼ同じ大きさの細長い板状に形成されて重ね合わされ、替刃ホルダーはその両端にそれぞれ幅の異なる替刃を突出させるための端縁を有し、該端縁はそこから突出させる替刃の幅に対応させた所定の端縁長さを有する請求項１乃至請求項４のいずれか一項記載の医療用ナイフ。
【請求項６】
替刃ホルダーの幅はその中央で最大であり、替刃ホルダーの両側縁は、替刃ホルダーの中央からそれぞれの端部に行くに従って互いに近づくように、替刃ホルダーの長手方向の中心線に対して傾斜しており、替刃ホルダーに保持された替刃の刃先の延びる方向は、互いに近づく両側縁の一方の側縁と同じ方向である請求項５記載の医療用ナイフ。
【請求項７】
替刃ホルダーの一方の側縁に切欠凹部が形成され且つ該切欠凹部は一方のホルダーパーツに形成されており、替刃ホルダーの他方の側縁にも切欠凹部が形成され且つ該切欠凹部は他方のホルダーパーツに形成されており、これら両切欠凹部は、替刃ホルダーの回転軸線からほぼ同じ距離だけ離れた部分に形成されている請求項５又は請求項６記載の医療用ナイフ。
【請求項８】
双方のホルダーパーツは分解可能である請求項１乃至請求項７のいずれか一項記載の医療用ナイフ。
【発明の詳細な説明】
【技術分野】
【０００１】
本発明は、主に病理用試料等の切断に用いられる医療用ナイフであり、試料片の薄切り装置であるミクロトームに使用されて切れ味が低下したミクロトーム替刃を、組織検査のためのトリミングカッターとして再利用するための医療用ナイフに関する。
【背景技術】
【０００２】
サイズの異なる２種類の替刃を取り付けることのできる医療用ナイフのハンドルは、例えば特許文献１に記載されているように従来から存在する。この従来のハンドルは、クリップ状に形成され、替刃をその表面両側から挟持して保持する一対の替刃挟持部がバネの弾性力により圧接されている。そして、その替刃挟持部は、ハンドルの前端部に設けられており、サイズの異なる２種類の替刃に個々に対応する２つの替刃保持構造を有し、双方の替刃保持構造は隣接するように設けられている。使用時には、１つの替刃のみを替刃保持構造に保持して使用されるものであり、その替刃保持構造に保持された替刃の突出する方向と、他方の替刃保持構造に替刃が保持された場合にその替刃の突出する方向は同じ方向である。
【０００３】
前述したように、従来のハンドルは、その前端部に一対の替刃挟持部が隣接して設けられている。そして、各替刃挟持部の前端部の両側表面に指を当てて使用する指当て面が形成されている。したがって、使用時には、親指と人差し指の指先の腹部を替刃に近接した指当て面に宛がって両側からハンドルを摘み持ち、慎重に切断作業をする。また、２つの替刃保持構造は隣接するように設けられているから、ハンドルの前端部の幅は替刃２枚分の幅を有している。このため、いずれの替刃が取り付けられた場合でも、替刃はハンドルの前端部の中心から幅方向にずれた位置に取り付けられるので、指当て面に宛がった指先からも替刃は側方にずれることになる。指先と替刃がずれない場合には、替刃の中心と指当て面に宛がった指先の中心もあまりずれないので、替刃が指先の一部であるような感覚をもって切断作業をすることができる。これにより、例えば試料を細かく切断するなどの細かい作業をする場合に作業がしやすい。しかし、従来のハンドルのように指先と替刃の中心がずれていると、宛がっている指先と替刃が非常に近接していることもあって、指先の動きと替刃の動きとの違いが顕著になり、作業者に違和感を感じさせることになる。そのために、替刃に加える力具合や替刃の刃先の角度など、指先で調節する作業が作業者の意図から外れる虞がある。その虞を取り除くために、指先をハンドルの側方にずらすことが考えられるが、指先の腹部の片側がハンドルの指当て面から外れてしまうので、ハンドルを摘み持ったときに不安定となり、さらに使い勝手が悪くなる虞がある。さらに、従来のハンドルは、２つの替刃保持構造が隣り合わせにつながっているので、片方の替刃保持構造に替刃を保持させると、その替刃保持構造の替刃取付け用隙間が替刃により埋められるが、他方の替刃保持構造の隙間は開いたままであるので、替刃が確実に固定できない虞があるばかりでなく、その隙間にゴミなどが入る虞もあり、２つの替刃保持構造は隣接して設けない方がよいのである。
【先行技術文献】
【特許文献】
【０００４】
【特許文献１】意匠登録第１４３７３０６号公報
【発明の概要】
【発明が解決しようとする課題】
【０００５】
サイズ等の異なる２種類の替刃に対応できるように、それら２種類の替刃に個々に対応する２つの替刃保持構造を有する医療用ナイフであって、いずれの替刃を取り付けたときでも、替刃が指先の一部であるような感覚をもって切断作業をすることがきる医療用ナイフを提供することを目的とする。
【課題を解決するための手段】
【０００６】
請求項１記載の発明は、替刃ホルダーと、それに着脱可能な替刃とを含み、替刃ホルダーは互いに結合可能な一対のホルダーパーツから成り、各ホルダーパーツに設けられた替刃保持構造が協働して替刃の一端部を保持し、替刃の他端部が替刃ホルダーから突出する医療用ナイフであって、替刃ホルダーは、サイズ及び又は形状の異なる２種類の替刃に対応できるように、それら２種類の替刃に個々に対応する２つの替刃保持構造を有し、それぞれの替刃保持構造に保持される替刃は、替刃ホルダーの周囲上の離れた異なる位置から突出するものであり、且つ一方の替刃保持構造に保持される替刃の突出する方向と、他方の替刃保持構造に保持される替刃の突出する方向とが異なっている構成である。
【０００７】
請求項２記載の発明は、両ホルダーパーツの替刃保持構造間に替刃が保持され、且つ、ホルダーパーツの内面に垂直な回転軸線を中心にホルダーパーツを相対的に回転させることにより、替刃を着脱可能とすることができる構成である。
【０００８】
請求項３記載の発明は、各ホルダーパーツがほぼ同じ外形をなしている構成である。
【０００９】
請求項４記載の発明は、一方の替刃保持構造に保持される替刃の突出方向と、他方の替刃保持構造に保持される替刃の突出方向が、反対方向を向いている構成である。
【００１０】
請求項５記載の発明は、各ホルダーパーツがほぼ同じ大きさの細長い板状に形成されて重ね合わされ、替刃ホルダーはその両端にそれぞれ幅の異なる替刃を突出させるための端縁を有し、それらの端縁はそこから突出させる替刃の幅に対応させた所定の端縁長さを有する構成である。
【００１１】
請求項６記載の発明は、替刃ホルダーの幅がその中央で最大であり、替刃ホルダーの両側縁は、替刃ホルダーの中央からそれぞれの端部に行くに従って互いに近づくように、替刃ホルダーの長手方向の中心線に対して傾斜しており、替刃ホルダーに保持された替刃の刃先の延びる方向は、互いに近づく両側縁の一方の側縁と同じ方向である構成である。
【００１２】
請求項７記載の発明は、替刃ホルダーの一方の側縁に切欠凹部が形成され且つ該切欠凹部が一方のホルダーパーツに形成されており、替刃ホルダーの他方の側縁にも切欠凹部が形成され且つ該切欠凹部は他方のホルダーパーツに形成されており、これら両切欠凹部は、替刃ホルダーの回転軸線からほぼ同じ距離だけ離れた部分に形成されている構成である。
【００１３】
請求項８記載の発明は、双方のホルダーパーツが分解可能である構成である。
【発明の効果】
【００１４】
請求項１記載の発明は、替刃ホルダーが、サイズ及び又は形状の異なる２種類の替刃に個々に対応する２つの替刃保持構造を有し、それぞれの替刃保持構造に保持される替刃は、替刃ホルダーの周囲上の離れた異なる位置から突出するものであり、且つ一方の替刃保持構造に保持される替刃の突出する方向と、他方の替刃保持構造に保持される替刃の突出する方向とが異なっている。したがって、双方の替刃保持構造は隣接しておらず、それぞれ他の替刃保持構造に干渉されることなく分離して設けられるので、保持されている替刃と、替刃ホルダーの前端部に設けられた指当て面に宛がわれた指先とが幅方向にずれることのないように替刃ホルダーを形成することが可能となる。さらに、双方の替刃保持構造が分離して設けられるので、扱いやすく操作しやすいものとなる。この結果、替刃が指先の一部であるような感覚をもって違和感なく切断作業をすることができる使い勝手の良い医療用ナイフを提供することができる。また、異なるサイズや形状を有する替刃に適した替刃保持構造とすることにより、替刃を確実に固定することが可能となる。特許文献１のハンドルでは、２つの替刃保持構造が隣り合わせにつながっているので、片方の替刃保持構造に替刃を保持させると、その替刃保持構造の替刃取付け用隙間が替刃により埋められるが、他方の替刃保持構造の隙間は開いたままであるので、その隙間にゴミが入り込む虞があるのである。
【００１５】
請求項２記載の発明は、両ホルダーパーツの替刃保持構造間に替刃が保持され、且つ、ホルダーパーツの内面に垂直な回転軸線を中心にホルダーパーツを相対的に回転させることにより、替刃を着脱可能とすることができる。すなわち、ホルダーパーツを相対的に回転させると、替刃保持構造が十分に露出して見やすく、その替刃保持構造に替刃を容易にセットすることができる。特許文献１のハンドルは、クリップ状であって薄手に形成されている。厚手に形成すると使用しづらくなるためである。薄手に形成されているので、クリップの先端を広げる範囲が制限され、替刃の着脱時にクリップ内部の替刃保持構造が目視しづらく、替刃の装着に手間がかかる虞がある。
【００１６】
請求項３記載の発明は、各ホルダーパーツがほぼ同じ外形をなしている。したがって、替刃ホルダーを把持し、指当て面に指を宛がってナイフを使用するときに、両ホルダーパーツの外周が揃っているので違和感なく把持したり操作したりすることができる。
【００１７】
請求項４記載の発明は、一方の替刃保持構造に保持される替刃の突出方向と、他方の替刃保持構造に保持される替刃の突出方向が、反対方向を向いている。したがって、２つの替刃保持構造はそれぞれ分離して設けられているので、特許文献１のように替刃の幅に対してホルダーパーツの端部の幅を広くする必要がなく、保持されている替刃と、替刃ホルダーの前端部に設けられた指当て面に宛がわれた指先とが幅方向にずれることのないように替刃ホルダーを形成することが可能となる。これにより、替刃が指先の一部であるような感覚をもって違和感なく切断作業をすることができる。また、仮に、２種類の替刃を同時に保持させて使用することがあっても、使用時に他方の替刃が邪魔になることがない。
【００１８】
請求項５記載の発明は、各ホルダーパーツがほぼ同じ大きさの細長い板状に形成されて重ね合わされ、替刃ホルダーはその両端にそれぞれ幅の異なる替刃を突出させるための端縁を有し、それらの端縁はそこから突出させる替刃の幅に対応させた所定の端縁長さを有する。使用時には、親指と人差し指の指先の腹部を指当て面に宛がって両側から替刃ホルダーを摘み持つのであるが、通常、指当て面としては取り付けられている替刃ホルダー端部の替刃に近接する位置が選択される。請求項５記載の発明では、端縁の幅が替刃の幅に対応した幅を有するので、端縁の幅と替刃の幅が同じであるか或いはわずかに異なるだけであり、替刃ホルダーの端部の替刃に近接した指当て面に指先を宛がったときに、その指先と替刃ホルダーの端縁から突出する替刃とのずれがほとんどない。この結果、替刃が指先の一部であるような感覚をもって違和感なく切断作業をすることができる。
【００１９】
請求項６記載の発明は、替刃ホルダーの幅がその中央で最大であり、替刃ホルダーの両側縁は、替刃ホルダーの中央からそれぞれの端部に行くに従って互いに近づくように、替刃ホルダーの長手方向の中心線に対して傾斜しており、替刃ホルダーに保持された替刃の刃先の延びる方向は、互いに近づく両側縁の一方の側縁と同じ方向である。すなわち、替刃ホルダーはほぼ菱形に近い形状となり、替刃の刃先を水平にしたときに、替刃ホルダーは、替刃を保持した側と反対側の後端側では後端に行くに従って尻上がりの形状となる。使用時における替刃ホルダーの把持部はその後半部であって、その後半部を手の平や薬指及び小指によって包み込むように把持する。このとき、把持部の下辺が、替刃の長手方向に対して尻上がりに傾斜するので、替刃ホルダーが持ち易いという効果を奏する。
【００２０】
請求項７記載の発明は、替刃ホルダーの一方の側縁に切欠凹部が形成され且つ該切欠凹部は一方のホルダーパーツに形成されており、替刃ホルダーの他方の側縁にも切欠凹部が形成され且つ該切欠凹部は他方のホルダーパーツに形成されており、これら両切欠凹部は、替刃ホルダーの回転軸線からほぼ同じ距離だけ離れた部分に形成されている。したがって、両ホルダーパーツが全面的に重ね合わされた状態から、替刃着脱位置まで回転しようとするときに、双方の切欠凹部に親指と人差し指を宛がって圧迫すると、切欠凹部の深さの分だけホルダーパーツは少し回転する。これにより、両ホルダーパーツは回転軸線を中心に周方向に互いにずれるので、その位置から替刃着脱位置までホルダーパーツを容易に回転させることができる。また、請求項８記載の発明は、双方のホルダーパーツが分解可能であるから、使用後に十分に洗浄したり滅菌したりすることができる。
【図面の簡単な説明】
【００２１】
【図１】ホルダーパーツを替刃取付け状態に開いた本発明の正面図
【図２】ホルダーパーツを閉じた本発明の正面図
【図３】本発明の背面図
【図４】一方のホルダーパーツを内側から見た斜視図
【図５】他方のホルダーパーツを内側から見た斜視図
【図６】Ａ−Ａ拡大断面図
【図７】一方のホルダーパーツの内面図
【図８】Ｂ−Ｂ端面図
【図９】Ｃ−Ｃ端面図
【図１０】本発明の背面側の斜視図
【図１１】幅広の替刃を取り付け刃先を下に向けた状態の背面図
【図１２】幅狭の替刃を取り付け刃先を下に向けた状態の背面図
【発明を実施するための形態】
【００２２】
以下、本発明の実施形態について、図面を参照しながら説明する。図１に示すように、替刃ホルダー１は一方のホルダーパーツ２と他方のホルダーパーツ３とから成る。双方のホルダーパーツ２，３は、図１１に示すように、共にほぼ同じ大きさの菱形に近い板状に形成されて、それらの内面同士が重ね合わされ、図１に示す軸部４の中心を貫く回転軸線を中心に相対的に回転可能に結合されている。替刃ホルダー１は、双方のホルダーパーツ２，３が重ね合わされたものなので、それらと同様に菱形の形状となる。
【００２３】
まず、双方のホルダーパーツ２，３を回転可能に結合する構成について説明する。図４に示すように、一方のホルダーパーツ２の中央に軸部４が形成されている。また、図６に明確に表わされているように、軸部４の中央に凹部５が形成されているが、これは射出成形の肉盗みである。また、軸部４の先端部の周囲に一対の部分的フランジ６，６が反対向きに形成されている。部分的フランジと呼ぶのは、フランジが軸部４の全周に亘って形成されていないからである。部分的フランジ６，６は、一方のホルダーパーツ２の内面７よりも、所定の高さだけ浮き上がっている。さらに、この部分的フランジ６，６によって投影されるホルダーパーツ２の部分は、部分的フランジ６，６の形状と同じ形状の弧状の孔８，８が形成されている。この孔８，８は、射出成形時に、ホルダーパーツ２を金型から抜くために必要とされるものである。
【００２４】
図５に示すように、他方のホルダーパーツ３には、軸孔９が形成されている。この軸孔９には、一対の部分的内周面１０，１０が形成されている。部分的内周面１０，１０のそれぞれの弧の長さは、一方のホルダーパーツ２の部分的フランジ６のそれぞれの弧の長さよりもわずかに長い。また、部分的内周面１０，１０で構成される円の直径は、部分的フランジ６，６の外周面で構成される円の直径よりもやや大きい。さらに、各部分的内周面１０，１０の高さは、部分的フランジ６，６の厚みのほぼ２倍のサイズに形成されている。
【００２５】
さらに図５に示すように、軸孔９には、前記部分的内周面１０，１０よりも縮径された部分的縮径内周面１１，１１が対向するように形成されている。部分的縮径内周面１１，１１のそれぞれの弧の長さは、一方のホルダーパーツ２の軸部４の外周面に形成されている部分的フランジ６，６の間に存在する外周面１２，１２のそれぞれの弧の長さと同じであるかわずかに短い。また、部分的縮径内周面１１，１１で構成される円の直径は、軸部４の外周面１２，１２で構成される円の直径よりもやや大きい。さらに、各部分的縮径内周面１１，１１の高さは、部分的フランジ６，６の底面と一方のホルダーパーツ２の内面７との間の間隔よりもわずかに低い。
【００２６】
一方のホルダーパーツ２の軸部４と他方のホルダーパーツ３の軸孔９は、以上述べた構成に形成されている。したがって、一方のホルダーパーツ２の部分的フランジ６，６を他方のホルダーパーツ３の部分的内周面１０，１０に宛がいながら、双方のホルダーパーツ２，３を重ね合わせると、一方のホルダーパーツ２の内面７と、他方のホルダーパーツ３の内面１３とが密接するように重ね合わせることができる。このとき、一対の部分的フランジ６，６は一方のホルダーパーツ２の長手方向に対して斜めに並ぶように形成され、一対の部分的内周面１０，１０は他方のホルダーパーツ３の長手方向に対して斜めに並ぶように形成されているので、部分的フランジ６，６を部分的内周面１０，１０に宛がって重ね合わせるときは、双方のホルダーパーツ２，３のそれぞれの長さ方向は直交させる必要がある。すなわち、まず、双方のホルダーパーツ２，３を直交させてから、一方のホルダーパーツ２の部分的フランジ６，６を他方のホルダーパーツ３の部分的内周面１０，１０に宛がい、次いで、両者を回転させることにより結合して替刃ホルダー１として組み立てることができる。また組み立てと逆の手順により、組み立てられている替刃ホルダー１を分解して洗浄等することができる。なお、本実施形態では、双方の部分的フランジ６，６及び双方の部分的内周面１０，１０が同じサイズで形成されているので、部分的フランジ６はいずれの部分的内周面１０，１０にも適合することになる。しかし、正しい適合は一方のみであるから、結合が不適正となる場合は適合できないようにするために、双方の部分的フランジ６，６や双方の部分的内周面１０，１０の弧の長さなどを異なるものとすることにより、正しい適合の場合のみ両ホルダーパーツ２，３を結合可能とすることができる。
【００２７】
次に、本発明の替刃保持構造について説明する。図１は、両ホルダーパーツ２，３を替刃取付け状態に開いて、嵌合孔２０を有する幅狭の替刃１９を位置決めした状態を示している。嵌合孔２０は２つあるので、幅狭の替刃１９の左端と右端をひっくり返して使用することもできる。同様に、図１１に示すように、幅広の替刃３５も嵌合孔４１を有する。図１２は、両ホルダーパーツ２，３を閉じて幅狭の替刃１９を替刃ホルダー１に装着した状態を示したものである。また、図１１は、両ホルダーパーツ２，３を閉じて幅広の替刃３５を替刃ホルダー１に装着した状態を示したものである。このように、替刃ホルダー１は、その両端に幅広の替刃３５と幅狭の替刃１９を取り付けることが可能であり、それらを取り付けるための２つの替刃保持構造を有している。２つの替刃保持構造は同じ構成であり、取り付ける替刃に対応してサイズのみが異なるだけであるから、その一方である幅広の替刃３５を取り付けるための替刃保持構造について説明する。替刃保持構造は、双方のホルダーパーツ２，３がそれぞれ有しており、双方の替刃把持構造が協働して替刃の一端部を保持する構成である。そこで、まず、一方のホルダーパーツ２の替刃保持構造について説明する。図４に示すように、替刃保持構造は、刃受け部１４を有している。また、この刃受け部１４は、４つの面を有する。その４つの面とは、第一の面１５と、第二の面１６と、第三の面１７及び第四の面１８である。これらの面は面一でないので、その特徴については後述する。図４に示すように、第一の面１５には幅広の替刃３５用の嵌合突部２１が形成されている。この嵌合突部２１に幅広の替刃３５の嵌合孔４１が嵌合して、替刃３５が位置決めされる。また、第三の面１７の角（かど）には、取り付けるべき替刃の位置決めを容易にするための小さな位置決め板部２２が形成されている。この位置決め板部２２は、一方のホルダーパーツ２の内面７に接続するように形成されている。第３の面１７は内面７よりも低い位置にあるので、内面７と位置決め板部２２の内面との間に間隔があいており、この間隔に替刃が挿し込まれる構成である。この構成については、他方の替刃保持構造の位置決め板部２３を見ると明確になる。ちなみに、この位置決め板部２３の下側に孔２４が存在するが、この孔２４は、射出成形時に、ホルダーパーツ２を金型から抜くために必要とされるものである。また、前述した刃受け部１４の側方には側壁２５が存在し、替刃を安定させたり、他方のホルダーパーツ３の回転を所定位置で規制する壁にもなる。
【００２８】
次に、前述した刃受け部１４が有する各面１５，１６，１７，１８について詳述する。図８は、図７におけるＢ−Ｂ端面図である。この図から明らかなように、第一の面１５は垂直面であり、替刃が完全に取り付けられたときに替刃の表面と密接する面である。第二の面１６は上方に行くに従って低くなるように傾斜する傾斜面である。また、図９は、図７におけるＣ−Ｃ端面図である。この図から明らかなように、第三の面１７は上方に行くに従ってやや低くなる傾斜面である。第三の面１７の傾斜角度は、第二の面１６の傾斜角度よりも小さい。第四の面１８は、第一の面１５と第二の面１６と第三の面１７を前述のように形成した結果として、必然的に生じた傾斜面であって、特別な意味を持つ面ではない。図７において、刃受け部１４中、最も高い位置にあるのは第一の面１５と第二の面１６の間の境界線である稜線２６とそれに続く第一の面１５である。
【００２９】
第二の面１６と第三の面１７を傾斜面とした理由は、替刃の取り付けを容易にするためである。替刃の取り付けは、一方のホルダーパーツ２を他方のホルダーパーツ３の下側にして行い、まず、その刃受け部１４に替刃を位置決めする。そこで、図７を参照しながら替刃の位置決め手順について説明する。替刃の位置決めは、図７において替刃の刃先を下側にして、替刃の一方の端部を第三の面１７に宛がい、替刃をやや傾斜させながら、替刃の角（かど）を位置決め板部２２の下側に挿し込んでいけばよい。その際、替刃の表面が嵌合突部２１に当たって押圧されるが、第二の面１６の傾斜が押圧された替刃の逃げ部として作用するので、円滑に挿し込むことができるのである。仮に、刃受け部１４の各面が面一であると、嵌合突部２１が替刃に当たったときに替刃の逃げ場がなく、替刃の角を位置決め板部２２の下側に挿し込みづらい。そこで、円滑に挿し込むことができるように、傾斜面を形成したのである。なお、図１に示したように、一方のホルダーパーツ２の替刃取付け構造は、両ホルダーパーツ２，３を開いたときにほぼ全体が目視できるので、前述した替刃の位置決め作業を容易に行うことができる。
【００３０】
次に、他方のホルダーパーツ３の替刃保持構造について説明する。図５に示すように、替刃保持構造は、他方のホルダーパーツ３の内面１３に形成された刃受け面２７を有する。この刃受け面２７は、双方のホルダーパーツ２，３が重ね合わされたときに、一方のホルダーパーツ２の刃受け部１４と対向する面である。この刃受け面２７と、一方のホルダーパーツ２の第一の面１５とが協働して替刃を挟んで保持する。刃受け面２７には、外側の溝２８と内側の溝２９が形成されている。外側の溝２８は、一方のホルダーパーツ２の嵌合突部２１の案内溝であり、内側の溝２９は、同じく位置決め板部２２の案内溝である。外側の溝２８と連続する細溝３０は、一方のホルダーパーツ２の側面に形成された小さな突起３１の案内溝である。小さな突起３１は、図４に示すように、一方のホルダーパーツ２の内面７に対してその垂直方向にやや突出している。したがって、両ホルダーパーツ２，３を閉じるときに、小さな突起３１は、細溝３０に案内され、次いで刃受け面２７に圧接状態で乗り上げ、受け穴３２に圧接状態で嵌り込んでそれと係合する。これにより、閉じられた両ホルダーパーツ２，３が自然に開くことを防止できると共に、厚み方向に反って開くことも防止できる。また、図１０に示すように、一方のホルダーパーツ２の側縁に弧状の切欠凹部３３が形成され、他方のホルダーパーツ３の側縁に同じく弧状の切欠凹部３４が形成されている。したがって、両ホルダーパーツ２，３を開こうとするときに、双方の切欠凹部３３，３４の部分に親指と人差し指とを宛がって押圧すると、小さな突起３１と受け穴３２との係合が外れて、両ホルダーパーツ２，３は切欠凹部３３，３４の深さの分だけ相対的に回転して少し広がるので、そこから両ホルダーパーツ２，３を所定の角度に容易に開くことができる。
【００３１】
前述したように、本発明の替刃ホルダー１は、その両端に幅広の替刃３５又は幅狭の替刃１９を取り付けることにより医療用ナイフ３９となる。その状態を図１１及び図１２に示した。図１１は、幅広の替刃３５を取り付けた状態を示し、図１２は、幅狭の替刃１９を取り付けた状態を示している。ここで、本実施形態のサイズについて説明する。替刃ホルダー１の全長は約１１０ｍｍであり、最大幅は約３０ｍｍであり、最大厚みは約１０ｍｍである。幅広の替刃３５の長さは約７６ｍｍであり、幅狭の替刃１９の長さは約８０ｍｍであり、幅広の替刃３５の幅は約１４ｍｍであり、幅狭の替刃１９の幅は約８ｍｍである。なお、本発明がこれらの数値に限定されないことは勿論である。図からも明らかなとおり替刃ホルダー１はほぼ菱形である。ただし、正規の菱形ではなく、図１１に示すように、替刃ホルダー１には所定の幅を有する端縁３７，３８が形成された菱形に近い形状である。一方の端縁３７の幅は他方の端縁３８の幅よりも広く形成されており、一方の端縁３７から幅広の替刃３５が突出するように取り付けられ、他方の端縁３８から幅狭の替刃１９が突出するように取り付けられる。一方の端縁３７の幅は、そこに取り付けられる幅広の替刃３５の幅よりやや長い。この長い理由は、図４に示すように、側方に側壁２５が形成されていて、その分だけ長くせざるを得ないのであるがわずかな長さである。医療用ナイフ３９を使用するときは、替刃ホルダー１を手で握り、一方の端縁３７に隣接する部分を両側から親指と人差し指で挟む。このとき、前述したように、一方の端縁３７の幅は、そこに取り付けられる幅広の替刃３５の幅よりやや長いがわずかである。したがって、替刃ホルダー１の先端部の表面に宛がわれた双方の指先と幅広の替刃３５とは、ずれていないか、或いはわずかなずれに止まっている。この点で、特許文献１と異なっている。したがって、替刃３５を指先と同じ感覚で操作することができ、正確な切断作業をすることができる。また、幅広の替刃３５の刃先４０とそれに連続する替刃ホルダー１の一辺３６とがほぼ一直線上に並ぶように、替刃３５は取り付けられている。したがって、図１１から明らかなように、使用時に、替刃ホルダー１の替刃を保持した側とは反対側の後半部が尻上がりに傾斜するので、替刃ホルダー１が握りやすくて試料などの切断対象物の切断も行いやすく、疲れにくいという効果を奏する。これらのことは、図１２の幅狭の替刃１９を取り付けた場合についても同様である。
【００３２】
なお、本発明は、前述した構成に基づいて種々の態様をとることが可能である。例えば、替刃ホルダー１を正面視「く」字形など、実施形態と異なる形状に形成してもよい。この場合、双方の替刃の突出方向は正反対とはならず、１８０°よりも小さい角度をなす。本実施形態のホルダーパーツ２，３は、それぞれが熱可塑性樹脂の一体成形であるが、製品として成立可能な範囲において他の材料や製造方法を使用してもよい。例えば、金属粉末射出成形法（ＭＩＭ）によって成形してもよい。本実施形態では、替刃ホルダー１の長手方向と、それに取り付けられた両替刃１９，３５の長手方向とは同じ方向でないが、同じ方向となるように替刃を替刃ホルダー１に取り付ける構成としてもよい。ホルダーパーツ２，３の結合方法は、実施形態以外の方法でもよく、例えば螺合や磁力による結合であってもよい。さらに、ホルダーパーツ２，３の表面に滑り止め加工などを施してもよい。例えば、表面に多数の小さな突起を設けたり、エラストマー樹脂で覆ったりしてもよい。また、３以上の替刃保持構造を設けて３種類以上の替刃を取り付け可能としてもよい。また、替刃装着状態で、刃を覆う鞘やキャップを取り付け可能とする構成にしてもよい。また、実施形態では、両ホルダーパーツ２，３を替刃取付け状態に開くと、両端の替刃保持構造が表われるが、これに代えて、双方の替刃保持構造が独立して別々に表わすことができる構成にしてもよい。例えば、他方のホルダーパーツ３を二部品に分け、それらの二部品がそれぞれ別の回転軸線を中心に回転する構成にする。また、本実施形態では、嵌合突部２１に幅広の替刃３５の嵌合孔４１が嵌合して、替刃３５が位置決めされるが、それに代えて、替刃が磁性材料の場合は、嵌合突部２１を設けずに磁石を取り付けることによって位置決めすることもできる。
【産業上の利用可能性】
【００３３】
サイズ及び又は形状の異なる２種類の替刃に個々に対応する２つの替刃保持構造を有する医療用ナイフであって、替刃ホルダーの端部の替刃に近接した指当て面に指先を宛がったときに、その指先と替刃ホルダーの端縁から突出する替刃が幅方向に顕著にずれることがない替刃ホルダーを形成することが可能であり、この結果、替刃が指先の一部であるような感覚をもって違和感なく切断作業をすることができる使い勝手の良い医療用ナイフとすることができる。
【符号の説明】
【００３４】
１  替刃ホルダー、    ２  一方のホルダーパーツ、    ３  他方のホルダーパーツ、    ４  軸部、    ５  凹部、    ６  部分的フランジ、    ７  一方のホルダーパーツの内面、    ８  孔、    ９  軸孔、    １０  部分的内周面、    １１  部分的縮径内周面、    １２  外周面、    １３  他方のホルダーパーツの内面、    １４  刃受け部、    １５  第一の面、    １６  第二の面、    １７  第三の面、    １８  第四の面、    １９  替刃、    ２０  嵌合孔、    ２１  嵌合突部、    ２２  位置決め板部、    ２３  位置決め板部、    ２４  孔、    ２５  側壁、    ２６  稜線、    ２７  刃受け面、    ２８  外側の溝、    ２９  内側の溝、    ３０  細溝、    ３１  小さな突起、    ３２  受け穴、    ３３  切欠凹部、    ３４  切欠凹部、    ３５  幅広の替刃、    ３６  一辺、    ３７  一方の端縁、    ３８  他方の端縁、    ３９  医療用ナイフ、    ４０  刃先、    ４１  嵌合孔
【図１】
2015078939.tif 000003
【図２】
2015078939.tif 000004
【図３】
2015078939.tif 000005
【図４】
2015078939.tif 000006
【図５】
2015078939.tif 000007
【図６】
2015078939.tif 000008
【図７】
2015078939.tif 000009
【図８】
2015078939.tif 000010
【図９】
2015078939.tif 000011
【図１０】
2015078939.tif 000012
【図１１】
2015078939.tif 000013
【図１２】
2015078939.tif 000014